(57)【要約】【課題】ユーザにとって快適な環境を実現する。【解決手段】室内１２の空気調和を行なう室内機１３と、室内機１３とは別に設けられ、ユーザが室内１２の空気調和環境に満足しているときに操作する持ち運び可能ないいねボタン３３と、いいねボタン３３と共に設けられ、室内１２の温度及び風速を検出するセンサユニット３４と、いいねボタン３３と共に設けられ、いいねボタン３３が操作されたときに、いいねボタン３３の操作情報、並びにセンサユニット３４で検出した温度情報及び風速情報を、室内機１３に送信する送信部３７と、を備える。室内機１３は、いいねボタン３３が操作されたときの温度及び風速を、夫々、目標検出温度及び目標検出風速として記憶し、以降は、検出した温度と目標検出温度とが近づくように、且つ検出した風速と目標検出風速とが近づくように運転する。【選択図】図２
2017180942.tif 000002
【特許請求の範囲】
【請求項１】
室内の空気調和を行なう室内機と、
前記室内機とは別に設けられユーザが空気調和環境に満足しているときに操作する持ち運び可能な満足操作部と、
前記満足操作部と共に設けられ温度及び風速を検出するセンサユニットと、
前記満足操作部と共に設けられ前記満足操作部の操作情報並びに前記センサユニットで検出した温度情報及び風速情報を前記室内機に送信する送信部と、を備え、
前記室内機は、
前記満足操作部が操作されたときの温度及び風速を夫々目標検出温度及び目標検出風速として記憶し、
以降は、前記センサユニットで検出した温度と前記目標検出温度とが近づくように、且つ前記センサユニットで検出した風速と前記目標検出風速とが近づくように運転することを特徴とする空気調和機。
【請求項２】
前記室内機は、
冷房運転の場合、前記センサユニットで検出した温度が前記目標検出温度よりも高いときには、前記目標検出温度を変更せずに前記目標検出風速を上げることを特徴とする請求項１に記載の空気調和機。
【請求項３】
前記室内機は、
暖房運転の場合、前記センサユニットで検出した温度が前記目標検出温度よりも低く、且つ前記センサユニットで検出した風速が前記目標検出風速以上であるときには、前記目標検出温度を変更せずに前記目標検出風速を下げることを特徴とする請求項１又は２に記載の空気調和機。
【請求項４】
前記室内機は、
熱交換した空気を送風する第一のファンと、
熱交換していない空気を送風する第二のファンと、を備え、
前記第二のファンのみで風速を制御することを特徴とする請求項１又は２に記載の空気調和機。
【請求項５】
前記室内機は、
熱交換した空気を送風する第一のファンと、
熱交換していない空気を送風する第二のファンと、を備え、
前記第一のファンのみで風速を制御することを特徴とする請求項１〜３の何れか一項に記載の空気調和機。
【発明の詳細な説明】
【技術分野】
【０００１】
本発明は、空気調和機に関するものである。
【背景技術】
【０００２】
ユーザが操作可能な「暑いときスイッチ」や「寒いときスイッチ」を設け、これらのスイッチが操作されたときに、室内機で検出した温度や湿度を基準にして、設定温度や湿度を調節するものがある。
【先行技術文献】
【特許文献】
【０００３】
【特許文献１】特公平７−９２２５４号公報
【発明の概要】
【発明が解決しようとする課題】
【０００４】
「暑いときスイッチ」や「寒いときスイッチ」は、ユーザが室内の空気調和環境に満足していないときに操作されるものである。これによって、快適な環境へ近づけるための対策を講じることはできるが、温度だけでユーザにとって不快な環境であるか否かを空気調和機が判断できるとは限らない。特に、人にとっての快適さは風速によっても左右されるため、単に暑いか寒いかだけでは、それが真に快適かどうかを空気調和機が判断することができず、ユーザにとって快適な環境を実現することが難しい。
本発明の課題は、ユーザにとって快適な環境を実現する空気調和機を提供することである。
【課題を解決するための手段】
【０００５】
本発明の一態様に係る空気調和機は、室内の空気調和を行なう室内機と、室内機とは別に設けられユーザが空気調和環境に満足しているときに操作する持ち運び可能な満足操作部と、満足操作部と共に設けられ温度及び風速を検出するセンサユニットと、満足操作部と共に設けられ満足操作部の操作情報並びにセンサユニットで検出した温度情報及び風速情報を前記室内機に送信する送信部と、を備え、室内機は、満足操作部が操作されたときの温度及び風速を夫々目標検出温度及び目標検出風速として記憶し、以降は、センサユニットで検出した温度と目標検出温度とが近づくように、且つセンサユニットで検出した風速と目標検出風速とが近づくように運転する。
【発明の効果】
【０００６】
本発明によれば、満足操作部の操作によって、ユーザが空気調和環境に満足していることを検出することができ、そのときセンサユニットによって検出した温度及び風速を、目標検出温度及び目標検出風速として記憶することができる。以降は、検出した温度と目標検出温度とが近づくように、且つ検出した風速と目標検出風速とが近づくように運転することにより、ユーザにとって快適な環境を実現することができる。
【図面の簡単な説明】
【０００７】
【図１】空気調和機の構成である。
【図２】室内機及びリモコンの機能ブロック図である。
【図３】室内機のイメージ図である（冷房）。
【図４】室内機のイメージ図である（暖房）。
【図５】風速検出処理を示すフローチャートである。
【図６】運転制御処理を示すフローチャートである。
【図７】運転設定の更新に用いるテーブルである。
【図８】最も単純に運転設定を更新する場合のテーブルである（比較例）。
【発明を実施するための形態】
【０００８】
以下、本発明の実施形態を図面に基づいて説明する。なお、各図面は模式的なものであって、現実のものとは異なる場合がある。また、以下の実施形態は、本発明の技術的思想を具体化するための装置や方法を例示するものであり、構成を下記のものに特定するものでない。すなわち、本発明の技術的思想は、特許請求の範囲に記載された技術的範囲内において、種々の変更を加えることができる。
【０００９】
《構成》
図１は、空気調和機の構成図である。
空気調和機１１は、室内１２の壁面に取り付けられた室内機１３と、戸外に設置された室外機１４と、を備える。空気調和機１１は、リモートコントローラ（以下、単にリモコンと称す）１５を介した無線通信により、ユーザによって遠隔操作される。
図２は、空気調和機の機能ブロック図である。
室内機１３は、受信部２１と、室内機制御部２２と、メインファン２３と、左サイドファン２４と、右サイドファン２５と、を備える。
受信部２１は、リモコン１５からの各種信号を受信する。
室内機制御部２２は、リモコン１５からの各種信号を受け、室外機１４、メインファン２３、左サイドファン２４、及び右サイドファン２５を駆動制御する。ここで、メインファン２３が「第一のファン」に対応し、左サイドファン２４、及び右サイドファンが「第二のファン」に対応する。
【００１０】
室内機１３と室外機１４との間には、冷媒回路が形成されており、この冷媒回路を循環する冷媒により空気と冷媒との間で熱エネルギーの交換が行われ、室内機１３から冷気や暖気が室内１２へ供給される。室内機制御部２２は、室外機１４のコンプレッサーや四方弁を駆動制御することにより、冷房／暖房の切り換えや、室内機１３から吹き出される冷気や暖気をコントロールする。
図３及び図４は、室内機のイメージ図である。
メインファン２３は、室内機１３に設けられ、冷媒回路を経て供給される冷気や暖気を吹き出す。つまり、冷媒と熱交換した空気を送風する。メインファン２３により吹き出された空気は、筐体の吹出口に設けられた上下風向板、及び左右風向板の各々の風向板の向きによって、吹き出し方向を調整できる。
【００１１】
左サイドファン２４は、室内機１３本体における左側面に設けられ、右サイドファン２５は、右側面に設けられ、何れも室内温度の空気のみを吹き出す。つまり冷媒と熱交換していない空気を送風する。左サイドファン２４、及び右サイドファン２５は、夫々、同一の軸周りに回動可能で、自らの回動位置、及び筐体の吹出口に設けられた風向板の向きによって、吹き出し方向を調整できる。尚、室内機１３はメインファン２３、左サイドファン２４及び右サイドファン２５の回転軸が水平になるように室内１２に設置される。
【００１２】
図３は、冷房運転の一例を示している。ここでは、破線で示すように、メインファン２３により吹き出された冷気は水平方向に吹き出し、点線で示すように、左サイドファン２４、及び右サイドファン２５による送風は斜め下方向に吹き出している。このようにして、冷気が直接身体に当たらないようにしつつも、快適な温度の送風をユーザが浴びられるようにすることで、控えめな冷房運転でも自然な涼しさを感じることができる。
【００１３】
図４は、暖房運転の一例を示している。ここでは、破線で示すように、メインファン２３により吹き出された暖気は真下に吹き出し、点線で示すように、左サイドファン２４、及び右サイドファン２５による送風は斜め下方向に吹き出している。このように、温風の吹き上がりを左サイドファン２４、右サイドファン２５による送風によって押さえ込むことにより、温風が室内１２の奥まで広がり、床面全体を暖めることができる。
【００１４】
リモコン１５は、持ち運び可能であり、図２に示すように、暑いボタン３１と、寒いボタン３２と、いいねボタン３３（満足操作部）と、センサユニット３４と、記憶部３５と、リモコン制御部３６と、送信部３７と、を備える。
暑いボタン３１は、ユーザが暑いと感じているときに操作するボタンである。
寒いボタン３２は、ユーザが寒いと感じているときに操作するボタンである。
いいねボタン３３は、ユーザが温度、湿度、及び風速について快適であると感じているとき、つまり室内１２の空気調和環境に満足しているときに操作するボタンである。
【００１５】
センサユニット３４は、リモコン周囲の温度を検出する温度センサ、及びリモコン周囲の風速を検出する風速センサを有する。温度センサは、温度変化に伴って電気抵抗が変化するサーミスタを用いる。風速センサは、一対のサーミスタを用いて風速（気流）を検出する。
記憶部３５は、ユーザによってなされた運転設定、つまり温度設定、風速設定、及び風向設定等、各種情報を記憶する。
リモコン制御部３６は、各ボタンからのボタン信号、及びセンサユニット３４からのセンサ信号を受け、送信部３７へ送る。具体的には、暑いボタン３１が押されたときのボタン信号、寒いボタン３２が押されたときのボタン信号、いいねボタン３３が押されたときのボタン信号（満足信号）、センサユニット３４で検出した温度信号、風速信号である。
各種信号を受けた送信部３７は、各種信号を室内機１３へ送信する。また、送信部３７は、所定の間隔で随時センサ信号を室内機１３へ送信している。
【００１６】
次に、リモコン制御部３６で実行する風速検出処理について説明する。
ここでは、本発明に係る処理を中心に説明しており、一般的な処理は省略する。
図５は、風速検出処理を示すフローチャートである。
風速検出処理は、ユーザが室内機１３に対して運転開始を指示する操作が行われたら開始され、以後、所定の演算周期に従って繰り返し実行される。
ステップＳ１０１では、センサユニット３４の温度センサで検出した温度ｔが、設定されている設定温度ｔｓに到達したか否かを判定する。ここで、温度ｔが設定温度ｔｓに到達していないときには（Ｓ１０１−Ｎｏ）、ステップＳ１０３に移行する。一方、温度ｔが設定温度ｔｓに到達しているときには（Ｓ１０１−Ｙｅｓ）、温度ｔが設定温度ｔｓに到達してから、予め定めた時間（例えば数十分）が経過したか否かを判定する（Ｓ１０２）。予め定めた時間（例えば数十分）が経過していれば（Ｓ１０２−Ｙｅｓ）、ステップＳ１０４へ移行し、経過していなければ（Ｓ１０２−Ｎｏ）、ステップＳ１０３へ移行する。
【００１７】
ステップＳ１０３では、いいねボタン３３が操作されたか否かを判定する。ここで、いいねボタン３３が操作されていないときには（Ｓ１０３−Ｎｏ）、そのままステップＳ１０１に戻る。一方、いいねボタン３３が操作されたときには（Ｓ１０３−Ｙｅｓ）、ステップＳ１０４に移行する。
ステップＳ１０４では、予め定めた期間Ｔ（例えば２〜３分）における風速ｕの推移を分析する。尚、センサユニット３４は随時風速ｕを検出しており、検出結果を時系列で記憶部３５に記憶させている。
続くステップＳ１０５では、送信部３７を介して、いいねボタン３３の操作情報、温度情報、及び風速情報を、室内機１３へ送信してからステップＳ１０１に戻る。
上記が風速検出処理である。
【００１８】
次に、室内機制御部２２で実行する運転制御処理について説明する。
ここでは、本発明に係る処理を中心に説明しており、冷媒回路の制御等の一般的な処理は省略する。
図６は、運転制御処理を示すフローチャートである。
運転制御処理は、ユーザが室内機１３に対して運転開始を指示する操作が行われたら開始され、以後、所定の演算周期に従って繰り返し実行される。
ステップＳ１１１では、室内機制御部２２がいいねボタン３３の操作情報をリモコン１５から受信したか否か（リモコン制御部３６側で図５のステップ１０５の処理があったか否か）、すなわち、いいねボタン３３が操作されたか否かを判定する。ここで、いいねボタン３３が操作されていないときには（Ｓ１１１−Ｎｏ）、ステップＳ１１２に移行する。一方、いいねボタン３３が操作されたときには（Ｓ１１１−Ｙｅｓ）、ステップＳ１１４に移行する。
【００１９】
ステップＳ１１２では、目標検出温度ｔｇ及び目標検出風速ｕｇが設定されているか否かを判定する。ここで、目標検出温度ｔｇ及び目標検出風速ｕｇが未だ記憶されていないときには（Ｓ１１２−Ｎｏ）、ステップＳ１１３に移行する。一方、目標検出温度ｔｇ及び目標検出風速ｕｇが既に記憶されているときには（Ｓ１１２−Ｙｅｓ）、ステップＳ１１５に移行する。
ステップＳ１１３では、現在の運転設定を維持したままステップＳ１１１に戻る。すなわち、記憶部３５に記憶されている現在の温度設定、風速設定、及び風向設定を維持したままにする。
【００２０】
ステップＳ１１４では、いいねボタン３３が操作されたときの温度ｔ及び風速ｕを、夫々、目標検出温度ｔｇ及び目標検出風速ｕｇとして記憶する。
続くステップＳ１１５では、センサユニット３４で検出した温度ｔが目標検出温度ｔｇのまま維持されるように、また、センサユニット３４で検出した風速ｕが目標検出風速ｕｇのまま維持されるように、運転設定を更新してからステップＳ１１１に戻る。具体的には、予め定めたテーブルを参照し、運転設定を更新する。
【００２１】
図７は、運転設定の更新に用いるテーブルである。
ここでは、冷房運転／除湿運転である場合と、暖房運転である場合の二種類のテーブルを用意してある。夫々、検出した温度ｔが目標検出温度ｔｇに対して低いか、ちょうどうか、高いかを区分し、且つ検出した風速ｕが目標検出風速ｕｇに対して速いか、ちょうどか、遅いかを区分している。
【００２２】
先ず、冷房運転／除湿運転について説明する。
（１）温度ｔが目標検出温度ｔｇより低く、風速ｕが目標検出風速ｕｇよりも速いときには、温度設定を上げ、風速設定を下げる。
（２）温度ｔが目標検出温度ｔｇより低く、風速ｕが目標検出風速ｕｇと同等であるときには、温度設定を上げ、風速設定を下げる。
（３）温度ｔが目標検出温度ｔｇより低く、風速ｕが目標検出風速ｕｇよりも遅いときには、温度設定を上げ、風速設定を維持する。
（４）温度ｔが目標検出温度ｔｇより低く、風速ｕが略無風である（例えば０.２［m/s］以下）ときには、温度設定を上げ、風速設定を上げ、風向設定を維持する。
【００２３】
（５）温度ｔが目標検出温度ｔｇと同等で、風速ｕが目標検出風速ｕｇよりも速いときには、温度設定を上げ、風速設定を維持する。
（６）温度ｔが目標検出温度ｔｇと同等で、風速ｕが目標検出風速ｕｇと同等であるときには、温度設定を維持し、風速設定を維持する。
（７）温度ｔが目標検出温度ｔｇと同等で、風速ｕが目標検出風速ｕｇよりも遅いときには、温度設定を維持し、風速設定を維持する。
（８）温度ｔが目標検出温度ｔｇと同等で、風速ｕが略無風である（例えば０.２［m/s］以下）ときには、温度設定を維持し、風速設定を上げ、風向設定を変更する。
【００２４】
（９）温度ｔが目標検出温度ｔｇより高く、風速ｕが目標検出風速ｕｇよりも速いときには、温度設定を維持し、風速設定を上げる。
（１０）温度ｔが目標検出温度ｔｇより高く、風速ｕが目標検出風速ｕｇと同等であるときには、温度設定を維持し、風速設定を上げる。
（１１）温度ｔが目標検出温度ｔｇより高く、風速ｕが目標検出風速ｕｇよりも遅いときには、温度設定を維持し、風速設定を上げる。
（１２）温度ｔが目標検出温度ｔｇより高く、風速ｕが略無風である（例えば０.２［m/s］以下）ときには、温度設定を維持し、風速設定を上げ、風向設定を変更する。
【００２５】
次に、暖房運転について説明する。
（１）温度ｔが目標検出温度ｔｇより低く、風速ｕが目標検出風速ｕｇよりも速いときには、温度設定を維持し、風速設定を下げる。
（２）温度ｔが目標検出温度ｔｇより低く、風速ｕが目標検出風速ｕｇと同等であるときには、温度設定を維持し、風速設定を下げる。
（３）温度ｔが目標検出温度ｔｇより低く、風速ｕが目標検出風速ｕｇよりも遅いときには、温度設定を維持し、風速設定を維持する。
（４）温度ｔが目標検出温度ｔｇより低く、風速ｕが略無風である（例えば０.２［m/s］以下）ときには、温度設定を維持し、風速設定を上げる。
【００２６】
（５）温度ｔが目標検出温度ｔｇと同等で、風速ｕが目標検出風速ｕｇよりも速いときには、温度設定を下げ、風速設定を維持する。
（６）温度ｔが目標検出温度ｔｇと同等で、風速ｕが目標検出風速ｕｇと同等であるときには、温度設定を維持し、風速設定を維持する。
（７）温度ｔが目標検出温度ｔｇと同等で、風速ｕが目標検出風速ｕｇよりも遅いときには、温度設定を維持し、風速設定を維持する。
（８）温度ｔが目標検出温度ｔｇと同等で、風速ｕが略無風である（例えば０.２［m/s］以下）ときには、温度設定を維持し、風速設定を維持する。
【００２７】
（９）温度ｔが目標検出温度ｔｇより高く、風速ｕが目標検出風速ｕｇよりも速いときには、温度設定を下げ、風速設定を維持する。
（１０）温度ｔが目標検出温度ｔｇより高く、風速ｕが目標検出風速ｕｇと同等であるときには、温度設定を下げ、風速設定を維持する。
（１１）温度ｔが目標検出温度ｔｇより高く、風速ｕが目標検出風速ｕｇよりも遅いときには、温度設定を下げ、風速設定を維持する。
（１２）温度ｔが目標検出温度ｔｇより高く、風速ｕが略無風である（例えば０.２［m/s］以下）ときには、温度設定を下げ、風速設定を維持する。
上記が運転制御処理である。
【００２８】
《作用効果》
次に、作用効果について説明する。
暑いボタン３１や寒いボタン３２は、ユーザが室内の空気調和環境に満足していないときに操作されるものである。これによって、快適な環境へ近づけるための対策を講じることはできるが、温度だけでユーザにとって不快な環境であるか否かを空気調和機が判断できるとは限らない。特に、人にとっての快適さは風速によっても左右されるため、単に暑いか寒いかだけでは、それが真に快適かどうかを空気調和機が判断することができず、ユーザにとって快適な環境を実現することが難しい。
【００２９】
風速については、室内機１３から吹き出す風速によって大まかに推定することができるが、ユーザの居場所が常に定まっている訳ではないため、空気調和機がユーザにとって快適な風速を正確に推定することも難しい。
さらに、暖房時に空気調和機から吹出される風がユーザに当たると、ユーザにとって隙間風が当たったようなドラフト感となり、不快に感じさせる要因の一つとなりやすいため、従来の空気調和機ではユーザにとって快適な環境を実現することが難しい。
【００３０】
そこで、本実施形態のリモコン１５は、室内１２の温度ｔ及び風速ｕを検出するセンサユニット３４を組み込み、さらに、いいねボタン３３を設けている。リモコン１５は、このいいねボタン３３がユーザによって操作されると（ステップＳ１０２の判定が“Yes”）、センサユニット３４で、室内１２の風速ｕを検出する（ステップＳ１０４）。そして、いいねボタン３３の操作情報、並びに室内１２の温度情報及び風速情報を、送信部３７が室内機１３に送信する（ステップＳ１０５）。
【００３１】
室内機１３では、いいねボタン３３が一度も操作されていないときには（図６のステップＳ１１１及びＳ１１２の判定が共に“Ｎｏ”）、現在の運転設定、つまり温度設定、風速設定、及び風向設定を維持したままにする（ステップＳ１１３）。一方、いいねボタン３３が操作されたときには（ステップＳ１１１の判定が“Ｙｅｓ”）、そのときの温度ｔ及び風速ｕを目標検出温度ｔｇ及び目標検出風速ｕｇとして記憶する（ステップＳ１１４）。以降は、検出した温度ｔと目標検出温度ｔｇとが近づくように、且つ検出した風速ｕと目標検出風速ｕｇとが近づくように運転する（ステップＳ１１５）。
【００３２】
ここで、比較例について説明する。
図８は、最も単純に運転設定を更新する場合のテーブルである。
すなわち、温度ｔが目標検出温度ｔｇより低くければ温度設定を上げ、温度ｔが目標検出温度ｔｇと同等であれば温度設定を維持し、温度ｔが目標検出温度ｔｇより高ければ温度設定を下げている。さらに、風速ｕが目標検出風速ｕｇよりも速いときには風速設定を下げ、風速ｕが目標検出風速ｕｇと同等であれば風速設定を維持し、風速ｕが目標検出風速ｕｇよりも遅ければ風速設定を上げ、風速ｕが略無風であれば風速設定をかなり上げている。
【００３３】
これに対し、図７のテーブルを用いて運転設定の更新を行ってもよい。図７のテーブルでは、冷房運転の場合、（９）〜（１２）に示すように、検出した温度ｔが目標検出温度ｔｇよりも高いときには、検出した風速ｕと目標検出風速ｕｇとの関係に関わらず、目標検出温度ｔｇを維持しながら、目標検出風速ｕｇを上げる。このようにすることで、風速を上げるだけで、体感温度を下げられるため、ユーザにとって快適な環境を実現できるだけでなく、電力消費の増大を抑制して省エネルギーにも貢献する。
さらに、暖房運転の場合、（１）、（２）に示すように、検出した温度ｔが目標検出温度ｔｇよりも低く、且つ検出した風速ｕが目標検出風速ｕｇ以上であるときには、目標検出温度ｔｇを上げずに、目標検出風速ｕｇを下げる。このように、風速を下げるだけで、隙間風のようなドラフト感を抑制し、体感温度を上げられるため、ユーザにとって快適な環境を実現できるだけでなく、電力消費の増大を抑制して省エネルギーにも貢献する。
【００３４】
目標検出風速を変更する際には、メインファン２３の回転数は維持したまま、左サイドファン２４、及び右サイドファン２５の風速のみを制御するようにしてもよい。これにより、室内１２の温度ｔが変化することを抑制できる。このように、冷媒と熱交換した空気を送風するメインファン２３とは別に、冷媒と熱交換していない空気を送風する左サイドファン２４、及び右サイドファン２５を備えているからこそ、室内１２の温度と風速とを個別に制御することができ、ユーザにとって快適な環境を実現することができる。
【００３５】
センサユニット３４の風速センサは、風速ｕを検出するに当たり、サーミスタを加熱させる必要があり、電力消費を抑制するためには、検出頻度を最小限に抑制することが望まれる。そこで、センサユニット３４で風速ｕを検出するのは、室内１２の温度ｔが設定温度ｔｓに到達してからか（図５のステップＳ１０１の判定が“Ｙｅｓ”）、又はいいねボタン３３が操作されたとき（図５のステップＳ１０３の判定が“Ｙｅｓ”）とする。このように、風速ｕの検出頻度を最小限に抑制することで、電力消費の増大を抑制することができる。
【００３６】
また、温度ｔが設定温度ｔｓに到達するまでの過渡状態では、室内機１３の運転も安定しておらず、室内１２の気流も乱れがちである。したがって、温度ｔが設定温度ｔｓに到達してから、風速ｕを検出することにより、室内機１３の運転が安定してからのデータを検出することができる。したがって、風速設定を更新する際の精度を向上させることができる。また、いいねボタン３３が操作されてから、風速ｕを検出することにより、ユーザが快適と感じた、その時点の風速ｕを正確に把握することができる。
また、センサユニット３４をリモコン１５に組み込むことで、ユーザはセンサユニット３４を容易に携行することができる。リモコン１５は、ユーザの手が届く範囲に置かれることが多いため、ユーザ周囲の温度及び風速、つまりユーザが感じている温度及び風速を把握することができる。また、いいねボタン３３を容易に操作することもできる。
【００３７】
そして、いいねボタン３３が操作されたときの温度及び風速に応じて運転設定を更新することで、次回運転時に、前回運転停止直前の運転状態を引き継ぐことができる。これにより、ユーザにとっての快適さを学習し、ユーザが快適と感じた環境をリモコン周囲に再現することができる。したがって、例えばリビングとダイニングが一体になっており、まずリビングでユーザがいいねボタン３３を操作したとする。その後、ユーザがリモコン１５を携えてダイニングへ移動すると、リビングでユーザが快適と感じた快適な環境を、ダイニングでも再現することができる。
【００３８】
《変形例》
本実施形態では、風速設定を更新したときに、左サイドファン２４、及び右サイドファン２５の風速のみを制御しているが、これに限定されるものではない。目標検出温度としつつ目標検出風速となるように制御するためには、熱交換した空気の風速を制御する必要がある場合もある。この場合には、温度設定は維持したまま、センサユニット３４で検出する風速の変化が少なくなるように、メインファン２３の風速のみを制御する。これにより、ユーザにとって快適な環境を実現することができる。
以上、限られた数の実施形態を参照しながら説明したが、権利範囲はそれらに限定されるものではなく、上記の開示に基づく実施形態の改変は、当業者にとって自明のことである。
【符号の説明】
【００３９】
１１  空気調和機
１２  室内
１３  室内機
１４  室外機
１５  リモコン
２２  室内機制御部
２３  メインファン
２４  左サイドファン
２５  右サイドファン
３１  暑いボタン
３２  寒いボタン
３３  いいねボタン
３４  センサユニット
３５  記憶部
３６  リモコン制御部
３７  送信部
【図１】
2017180942.tif 000003
【図２】
2017180942.tif 000004
【図３】
2017180942.tif 000005
【図４】
2017180942.tif 000006
【図５】
2017180942.tif 000007
【図６】
2017180942.tif 000008
【図７】
2017180942.tif 000009
【図８】
2017180942.tif 000010